(57)【要約】      （修正有）【課題】霧化機能を有する水素装置を提供する。【解決手段】霧化機能を有する水素装置は、内部に防水空間１１及び容器空間１２を有し、且つ上方端には開口部１３が設けられる本体１０と、防水空間１１の底部に設置される給電ユニット２０と、容器空間１２の底部に設置されると共に給電ユニット２０に電気的に接続され、水の電解反応を行って水素及び酸素を発生させる電解ユニット３０と、容器空間１２の底部に設置されると共に給電ユニット２０に電気的に接続され、水の霧化を行って小さな水粒子を形成させ、水素及び酸素と共に水粒子を噴出させ易くする霧化ユニット４０とを備える。【選択図】図１
0003206025.tif 000002
【実用新案登録請求の範囲】
【請求項１】
内部に防水空間及び容器空間を有し、且つ上方端には開口部が設けられる本体と、
前記防水空間の底部に設置される給電ユニットと、
前記容器空間の底部に設置されると共に前記給電ユニットに電気的に接続され、水の電解反応を行って水素及び酸素を発生させる電解ユニットと、
前記容器空間の底部に設置されると共に前記給電ユニットに電気的に接続され、水の霧化を行って小さな水粒子を形成させ、水素及び酸素と共に水粒子を噴出させ易くする霧化ユニットとを備えることを特徴とする、
霧化機能を有する水素装置。
【請求項２】
前記霧化ユニットは超音波霧化器であることを特徴とする、請求項１に記載の霧化機能を有する水素装置。
【請求項３】
前記電解ユニットは少なくとも２枚の電極片を備えることを特徴とする、請求項１に記載の霧化機能を有する水素装置。
【請求項４】
これら前記電極片の間にはプロトン交換膜である少なくとも１つの薄膜を更に有することを特徴とする、請求項３に記載の霧化機能を有する水素装置。
【請求項５】
前記本体は、前記本体に設置されると共に前記給電ユニットに電気的に接続されるポンプユニットを更に有し、且つ前記ポンプユニットには空気噴射管路が更に連結され、前記空気噴射管路により前記ポンプユニットが前記本体の外部から抽出した空気が前記本体内部の容器空間に供給され、前記開口部の気流量が増加され、水素、酸素及び霧化された水がより遠い距離噴射されることを特徴とする、請求項１に記載の霧化機能を有する水素装置。
【請求項６】
前記空気噴射管路は、前記本体の前記開口部に対する他側に設置される吸気端を更に有することを特徴とする、請求項５に記載の霧化機能を有する水素装置。
【考案の詳細な説明】
【技術分野】
【０００１】
本考案は、水の霧化を行って小さな水粒子を形成させ、電解ユニットが発生させる水素及び酸素と共に水粒子を噴出させ易くする霧化ユニットが設置される、霧化機能を有する水素装置に関する。
【背景技術】
【０００２】
近年、水素（Ｈｙｄｒｏｇｅｎ）を利用して疾病を治療する医学的方法が数多く研究され、実際に医学及び保健分野で広く有効的に運用されている。水素が有する抗酸化能力により、炎症に対抗する効果がある。また、現代人は生活が忙しく、情緒が不安定になりがちである。このため、多くの人が水素機を利用して水分子を分解させた後に水素及び酸素を発生させ、使用者が飲用や吸入することで、心身をリラックスさせ、情緒の安定を図っている。
【考案の概要】
【考案が解決しようとする課題】
【０００３】
しかしながら、前述した従来の水素機では、電解装置が水中で水を電解させて発生させる水素及び酸素は、その輸送速度が遅く、使用者が使用するのに時間が掛かる。また、水素機本体に接続されるマスクを被って水素或いは酸素を吸入するが、使用者が水素機を使用できる時間及び空間が制限されてしまい、非常に不便であった。
【０００４】
本考案者は上記の欠点が改善可能と考え、鋭意研究した結果、合理的かつ効果的に課題を改善する本考案の霧化機能を有する水素装置の提案に到った。
【０００５】
本考案は、上記の事情を考慮してなされたもので、上記課題解決のため、本考案は、水の霧化を行って小さな水粒子を形成させ、電解ユニットが発生させる水素及び酸素と共に水粒子を噴出させ易くする霧化ユニットが設置され、水素或いは酸素の輸送速度が向上するのみならず、使用者が水素装置にマスクを接続させて被る必要がなく、使用者が時間及び空間的制限を受けずに使用できる、霧化機能を有する水素装置を提供することを主目的とする。
【０００６】
本考案の他の目的は、ポンプユニットが更に装設されることで、気流量が増加され、水素、酸素及び霧化された水がより遠い距離噴射される霧化機能を有する水素装置を提供することである。
【課題を解決するための手段】
【０００７】
上述した課題を解決し、上記目的を達成するための本考案に係る霧化機能を有する水素装置は、内部に防水空間及び容器空間を有し、且つ上方端には開口部が設けられる本体と、前記防水空間の底部に設置される給電ユニットと、前記容器空間の底部に設置されると共に前記給電ユニットに電気的に接続され、水の電解反応を行って水素及び酸素を発生させる電解ユニットと、前記容器空間の底部に設置されると共に前記給電ユニットに電気的に接続され、水の霧化を行って小さな水粒子を形成させ、水素及び酸素と共に水粒子を噴出させ易くする霧化ユニットとを備えることを特徴とする。
【０００８】
本考案に係る霧化機能を有する水素装置において、前記霧化ユニットは超音波霧化器である。
【０００９】
本考案に係る霧化機能を有する水素装置において、前記電解ユニットは少なくとも２枚の電極片を備える。
【００１０】
本考案に係る霧化機能を有する水素装置において、これら前記電極片の間にはプロトン交換膜である少なくとも１つの薄膜を更に有する。
【００１１】
本考案に係る霧化機能を有する水素装置において、前記本体は、前記本体に設置されると共に前記給電ユニットに電気的に接続されるポンプユニットを更に有し、且つ前記ポンプユニットには空気噴射管路が更に連結され、前記空気噴射管路により前記ポンプユニットが前記本体の外部から抽出した空気が前記本体内部の容器空間に供給され、前記開口部の気流量が増加され、水素、酸素及び霧化された水がより遠い距離噴射される。
【００１２】
本考案に係る霧化機能を有する水素装置において、前記空気噴射管路は、前記本体の前記開口部に対する他側に設置される吸気端を更に有する。
【考案の効果】
【００１３】
本考案によれば、空間形態が革新的であるほか、従来の物品に上述の多くの効果を増加させることができる。
【図面の簡単な説明】
【００１４】
【図１】本考案の第１実施形態による霧化機能を有する水素装置を示す外観斜視図である。
【図２】本考案の第１実施形態による霧化機能を有する水素装置を示す断面の概略図である。
【考案を実施するための形態】
【００１５】
以下に図面を参照して、本考案を実施するための形態について、詳細に説明する。なお、本考案は、以下に説明する実施形態に限定されるものではない。
【実施例】
【００１６】
（第１実施形態）
以下、本考案の具体的な実施形態について添付図面に基づき説明する。本考案の霧化機能を有する水素装置は、内部に防水空間１１及び容器空間１２を有し、且つ上方端には開口部１３が設けられる本体１０と、前記防水空間１１の底部に設置される給電ユニット２０と、前記容器空間１２の底部に設置されると共に前記給電ユニット２０に電気的に接続され、水の電解反応を行って水素及び酸素を発生させる電解ユニット３０と、前記容器空間１２の底部に設置されると共に前記給電ユニット２０に電気的に接続され、高い周波数で振動し、水の霧化を行って小さな水粒子を形成させ、水素及び酸素と共に水粒子を噴出させ易くし、水素或いは酸素の輸送速度を速める霧化ユニット４０とを備える。前記霧化ユニット４０は超音波霧化器である（図１及び図２参照）。
【００１７】
このほか、前記電解ユニット３０は少なくとも２枚の電極片（図示せず）を備え、これら前記電極片により水の電解反応を行って水素及び酸素をそれぞれ発生させる。また、これら前記電極片の間には、プロトン交換膜である少なくとも１つの薄膜（図示せず）を更に有する。
【００１８】
前記本体１０は、前記本体１０に設置されると共に前記給電ユニット２０に電気的に接続されるポンプユニット５０を更に有し、且つ前記ポンプユニット５０には空気噴射管路５１が更に連結され、前記空気噴射管路５１により前記ポンプユニット５０が前記本体１０の外部から抽出させた空気が前記本体１０内部の容器空間１２に供給され、前記開口部１３の気流量が増加され、水素、酸素及び霧化された水がより遠い距離噴射される。
前記霧化ユニット４０により水素及び酸素と共に水粒子が噴出され、前記ポンプユニット５０により噴射の威力が強化され、水素、酸素及び水粒子がより遠い距離噴射されるようになり、使用者は前記本体１０から離れた場所でも水素及び酸素を吸入可能になる。
【００１９】
さらに、図２に示すように、前記空気噴射管路５１は、前記本体１０の前記開口部１３に対する他側に設置される吸気端５１１を更に有する。前記吸気端５１１及び前記開口部１３が対応し合う側に設置される場合に霧化された水が噴出される距離は、対応し合う側に設置されない場合よりも長くなる。
【００２０】
以上のように、本考案は確実に霧化機能を有する水素装置を提供する。
上述したように、霧化ユニットが設置されることで、水の霧化を行って小さな水粒子を形成させ、電解ユニットが発生させる水素及び酸素と共に水粒子を噴出させ易くし、水素或いは酸素の輸送速度が向上するほか、使用者は水素装置にマスクを接続させて被る必要がなくなり、使用者が時間及び空間的制限を受けずに使用可能になる。また、ポンプユニットが更に装設されることで、気流量が増加され、水素、酸素及び霧化された水がより遠い距離噴出されるようになる。
【００２１】
以上、本考案の実施形態について図面を参照して詳述したが、具体的な構成はこの実施形態に限られるものではなく、本考案の要旨を逸脱しない範囲の設計変更等も含まれる。
【符号の説明】
【００２２】
１０    本体
１１    防水空間
１２    容器空間
１３    開口部
２０    給電ユニット
３０    電解ユニット
４０    霧化ユニット
５０    ポンプユニット
５１    空気噴射管路
５１１  吸気端
【図１】
0003206025.tif 000003
【図２】
0003206025.tif 000004